(57)【要約】【課題】建物の換気ダクトに挿着する挿入筒部１１、及び挿入筒部の端部外周に設けたフランジ部１２を備えた筒体１と、長窓を並設すると共に、長窓縁の羽根板を所定方向の折り曲げてなる通風窓部２１、及び前記通風窓部の外周に設けて前記フランジ部に連結する鍔部２２を備えた換気体で構成される換気口において、簡単な部品追加で、換気の吹き出し分流の方向の多様性に対応する。【解決手段】所望方向に羽根板を折曲した補助通風窓部１４を、挿入筒部１１の開口部の一部を塞ぐように設けてなる。【選択図】図５
2011038685.tif 000002
【特許請求の範囲】
【請求項１】
建物の換気ダクトに挿着する挿入筒部、及び挿入筒部の端部外周に設けたフランジ部を備えた筒体と、長窓を並設すると共に、長窓縁の羽根板を所定方向の折り曲げてなる通風窓部、及び前記通風窓部の外周に設けて前記フランジ部に連結する鍔部を備えた換気体で構成される換気口において、所望方向に羽根板を折曲した補助通風窓部を、挿入筒部の開口部の一部を塞ぐように設けてなることを特徴とする換気口。
【請求項２】
補助通風窓部が円弧外周を備え、前記外周部分をフランジ部に溶着又はフランジ部と換気体とで挟持してなる請求項１記載の換気口。
【請求項３】
補助通風窓部が、挿入筒部の開口範囲の１／３程度の範囲を占め、下方吹き出しとなる羽根板を備え、換気体の通風窓部の羽根板を、左右外方向への吹き出しに形成してなる請求項２記載の換気口。
【発明の詳細な説明】
【技術分野】
【０００１】
本発明は、建物の壁に設けられているダクトの開口端に装着する換気口に関するものである。
【背景技術】
【０００２】
換気口は、一般的にダクトに挿入する筒体部と、通風窓部を備えると共に、前記筒体部の一端側に連設して壁外面に位置する換気体部とで構成される。
【０００３】
具体的には、筒体部が、ダクトに差し入れられる挿入筒部と、挿入筒部の外周に設けた係止バネと、挿入筒部の前端外周に張り出したフランジ部で形成され、必要に応じて防火ダンパー機構を内装している。
【０００４】
換気体部は、前記フランジ部に装着される鍔部を備え、挿入筒部と対応する面を通風窓部としているもので、前記の通風窓部は、雨水の侵入を防止するために所謂ガラリ形状と称される多数の長窓を並設すると共に、長窓縁の羽根板を一定の角度に折り曲げてなる構造が採用されており、特に吹き出し方向を散らすために、前記の長窓の形成配置及び羽根板の折曲方向が異なるようにしている器具が知られている。
【０００５】
例えば特許文献１（特開２００４−２１１９６７号公報図１０）には、下方部分縦長に形成して左右に並設し、左右の縦長窓の羽根板を左右異なる角度に折曲して、排出風や換気導入風（以下「換気流」という）の吹き出し方向を左右外方へ分流させ、上方部分を横長窓として羽根板で、管気流を下方に誘導させる三方向分流の通風窓が示されている。
【０００６】
また特許文献２（登録意匠第１１７６７９１号公報）には、左右傾斜方向の異なる斜長窓を並設し、換気流を斜め左右下方へ分流させる換気口が示されている。
【先行技術文献】
【特許文献】
【０００７】
【特許文献１】特開２００４−２１１９６７号公報図１０。
【特許文献２】登録意匠第１１７６７９１号公報。
【発明の概要】
【発明が解決しようとする課題】
【０００８】
ところで、前記の換気流の吹き出し方向の分流を行う通風窓部を有する換気体部の製出手段は、通風窓部を形成した通風窓板と鍔部とを各別に加工成形し、鍔部の所定位置（前面開口部分）に溶着したり（特許文献１）、通風窓部も鍔部と一体に成型加工する（特許文献２）ものである。
【０００９】
何れの製出手段を採用したとしても、製出される換気部の通風窓部の分流構造は一定であり、異なる分流構造を採用したい場合には、換気体部を構成する部品を別に製出する必要がある。当然、少数ロットの製造になってしまいコスト高となる。
【００１０】
また設置個所においては、既存の換気体部を採用して換気流の吹き出し方向に不都合があった際には、ダクトに対する換気口の装着位置を回転させて対応することも可能であるが、如何様に位置変更しても不都合がある場合や、二方向分流の換気部を三方向分流にしたり、三方向分流における一分流方向のみを変更する場合は、既存部品では対応できない。
【００１１】
そこで本発明は、既存の換気口に僅かな部品追加で、所望の分流を可能とする新規な換気口を提案したものである。
【課題を解決するための手段】
【００１２】
本発明に係る換気口は、建物の換気ダクトに挿着する挿入筒部、及び挿入筒部の端部外周に設けたフランジ部を備えた筒体と、長窓を並設すると共に、長窓縁の羽根板を所定方向の折り曲げてなる通風窓部、及び前記通風窓部の外周に設けて前記フランジ部に連結する鍔部を備えた換気体で構成される換気口において、所望方向に羽根板を折曲した補助通風窓部を、挿入筒部の開口部の一部を塞ぐように設けてなることを特徴とするものである。
【００１３】
既存品の筒体と換気体がある場合に、筒体に補助通風窓部を付設することで、補助通風窓部を通過しない換気流は、換気体の通風窓部で所定の方向に吹き出され、補助通風窓部を通過する換気流は、補助通風窓部で方向が変更されてから通風窓部を通過するので、当該換気流の吹き出し方向は、補助通風窓部によって種々変更されることになる。
【００１４】
従って補助通風窓部の位置、形成範囲（筒部の開口に占める範囲）、羽根板の方向を適宜選択して、既存の部材に組み込むことで容易に多様な吹き出し方向を備える器具に変更することができる。
【００１５】
また本発明（請求項２）に係る換気口は、前記換気口において、補助通風窓部が円弧外周を備え、前記外周部分をフランジ部に溶着又はフランジ部と換気体とで挟持してなるもので、補助通風窓部の付設が容易になし得る。
【００１６】
また本発明（請求項３）に係る換気口は、更に前記換気口において、補助通風窓が、挿入筒部の開口範囲の１／３程度の範囲を占め、下方吹き出しとなる羽根板を備え、換気体の通風窓部の羽根板を、左右外方向への吹き出しに形成してなるもので、左右吹き出しの既存換気口において、下向き吹き出しの器具に容易に変更できる。
【発明の効果】
【００１７】
本発明の構成は上記のとおりで、既存の種々の換気口において、補助通風部を組み込むという簡単な構造で、吹き出し方向の多様性に簡単に対応できたものである。
【図面の簡単な説明】
【００１８】
【図１】本発明の実施形態の全体斜視図。
【図２】同正面図。
【図３】同断面図。
【図４】同補助通風部の製造説明図。
【図５】同分解斜視図。
【発明を実施するための形態】
【００１９】
つぎに本発明の実施形態について説明する。実施形態に示した換気口は、筒体１と、換気体２の二部材で構成されるものである。
【００２０】
筒体１は、基本的に従前の換気口と同様で、挿入筒部１１と、フランジ部１２と係止バネ部１３を形成されると共に、特に補助通風窓部１４を付設したものである。
【００２１】
挿入筒部１１は、建物の換気ダクトに挿着できる大きさであり、フランジ部１２は前記挿入筒部１１の開口端外周に設けたもので、後述する補助通風窓部１４を溶着する受け部となる浅い凹部１２１を備える段差構造としたものであり、また後述する換気体２を連結するための螺孔１２２を設けているものである。
【００２２】
係止バネ部１３は、板バネ体を片持ち支持として挿入筒部１１の外周に複数個設けたもので、全体を窄めて換気ダクトに差し入れ、係止バネ部１３の圧縮反発力で器具をダクト内に装着するようにしているものである。
【００２３】
補助通風窓部１４は、図４（イ）に示すように、円弧外周部１４１を除いた範囲が、挿入筒部１１の開口範囲の１／３程度の範囲を占める半月形状の金属板を、前記円弧外周部１４１を除いた範囲内に、羽根板部１４２及び羽根板部１４２の両端部分の捻り用細幅連結部１４３が残存するよう打ち抜き、羽根板部１４２を、弦方向が吹き出し方向となるように所望の角度に折曲して、長窓部１４４を形成したものである。
【００２４】
前記の補助通風窓部１４は、円弧外周部１４１を凹部１２１に当接して溶着し、挿入筒部１１の開口個所の上方約１／３の範囲の通風窓とするものである。
【００２５】
換気体２は、基本的に従前の器具と同様で、通風窓部２１と鍔部２２で構成される。通風窓部２１は、縦長窓２１１を多数並設すると共に、長窓縁の羽根板２１２を左右それぞれ左右外方向に折曲したもので、鍔部２２は、前記通風窓部２１の外周に段差を介して設けたもので、前記フランジ部１２と対応する形状で、螺孔１２２と対応する位置にビス孔２２１を設けたもので、ビス２２２で換気体２を筒体１に連結するものである。
【００２６】
而して前記換気口は、挿入筒部１１をダクトに差し入れ、必要に応じてフランジ部１２を壁面に釘着し、換気体２をフランジ部１２に装着固定し、或いは筒体１と換気体２を予め連結してダクトに装着する。
【００２７】
ダクトに装着した前記換気口による換気流は、最初に補助通風窓部１４を通過する換気流ａと、補助通風窓部１４を通過しない換気流ｂに分流し、更に各分流は次の通風窓部２１で左右分流されるものである。
【００２８】
即ち換気分流ａは、下方に吹き出し更に左右外方に吹き出すもので、換気体２からの吹き出しは、左右斜め下方となり、換気分流ｂは左右外方を吹き出しとなるので、従前の三方向吹き出しと同様に天井方向への吹き出しが阻止され、且つ左右に分けられ吹き出し流を直接受けないようにしているものである。
【００２９】
本発明は、特に補助通風窓部１４の羽根板部１４２の両端に捻り用細幅連結部１４３を設けていることで、羽根板部１４２の折曲が容易に行うことができ、且つその角度も簡単に設定できるものである。
【００３０】
更に補助通風窓部１４の大きさ（挿入筒部１１の開口部において占める割合）及び形状も容易に変更でき、その製造も容易で、而も筒体１への固着位置も任意に選択でき、既存の種々の換気体（通気窓部２１の異なる部品）と組み合わせることによって、多様な吹き出し方向を備えた換気口を容易に得ることができるものである。勿論既存の換気体を採用せずに、独自の通気窓部を備えた換気体と組み合わせても良い。
【符号の説明】
【００３１】
１        筒体
１１      挿入筒部
１２      フランジ部
１２１    凹部
１２２    螺孔
１３      係止バネ部
１４      補助通風窓部
１４１    円弧外周部
１４２    羽根板部
１４３    捻り用細幅連結部
１４４    長窓部
２        換気体
２１      通風窓部
２１１    縦長窓
２１２    羽根板
２２      鍔部
２２１    ビス孔
２２２    ビス
【図１】
2011038685.tif 000003
【図２】
2011038685.tif 000004
【図３】
2011038685.tif 000005
【図４】
2011038685.tif 000006
【図５】
2011038685.tif 000007